(57)【要約】【課題】簡易な構成で、ターミナル本体の意図しない変形を抑制し、バッテリーポストとの接続信頼性を確保できるバッテリーターミナルを提供することを目的とする。【解決手段】バッテリーターミナル１は、上板装着孔２３Ｕと上板第１締付部２６Ｕと上板第２締付部２７Ｕとを有する上板部２０Ｕと、下板装着孔２３Ｌと下板第１締付部２６Ｌと下板第２締付部２７Ｌとを有する下板部２０Ｌと、上板第１締付部２６Ｕから連なり下板第１締付部２６Ｌと係合する断面円弧状の第１受け壁４１Ａと、上板第２締付部２７Ｕから連なり下板第２締付部２７Ｌと係合する断面円弧状の第２受け壁４１Ｂとを備えるターミナル本体１０と、ターミナル本体１０に取り付けられて、第１受け壁４１Ａに当接する第１テーパ面７４Ａを有する第１押圧部７３Ａと、第２受け壁４１Ｂに当接する第２テーパ面７４Ｂを有する第２押圧部７３Ｂとを備えるブラケット７０とを備える。【選択図】図９
2015167108.tif 000002
【特許請求の範囲】
【請求項１】
バッテリーに備えられるバッテリーポストに取り付けられるバッテリーターミナルであって、
ターミナル本体と、締付部材とを備え、
前記ターミナル本体が、
上板部と、前記上板部と平行に配置される下板部と、前記上板部から連なる第１受け部および第２受け部とを備え、
前記上板部が、前記バッテリーポストが挿通される上板装着孔と、前記上板装着孔の孔縁から前記上板部の端縁まで延びる上板スリット部とを有し、前記上板スリット部を挟んで一方の側に配置される部分が上板第１締付部であり、他方の側に配置される部分が上板第２締付部であり、
前記下板部が、前記バッテリーポストが挿通される下板装着孔と、前記下板装着孔の孔縁から前記下板部の端縁まで延びる下板スリット部とを有し、前記下板スリット部を挟んで一方の側に配置される部分が下板第１締付部であり、他方の側に配置される部分が下板第２締付部であり、
前記第１受け部が、前記上板第１締付部において前記上板第２締付部とは反対側の端縁から前記下板第１締付部に向かって延び、前記上板第１締付部および前記下側第１締付部に向かう側と反対側が凸面である断面円弧状の第１受け壁を備え、
前記第２受け部が、前記上板第２締付部において前記上板第１締付部とは反対側の端縁から前記下板第２締付部に向かって延び、前記上板第２締付部および前記下側第２締付部に向かう側と反対側が凸面である断面円弧状の第２受け壁を備え、
前記第１受け部および前記下板第１締付部のうち一方が、他方に係合する第１係合部を備え、
前記第２受け部および前記下板第２締付部のうち一方が、他方に係合する第２係合部を備え、
前記締付部材が、
前記上板部に重ねて配置される基部と、前記基部から連なる第１押圧部および第２押圧部とを備え、
前記第１押圧部および前記第２押圧部において互いに相手側と対向する面が、前記基部から離れるほど互いに離間する方向に傾く第１テーパ面および第２テーパ面であり、
前記第１テーパ面が前記第１受け部に当接しており、前記第２テーパ面が前記第２受け部に当接している、バッテリーターミナル。
【請求項２】
前記第１受け部が、前記第１下板締付部において前記上板第１締付部と対向する面に重ねて配置される第１重ね部を備えており、
前記第２受け部が、前記第２下板締付部において前記上板第２締付部と対向する面に重ねて配置される第２重ね部を備えている、請求項１に記載のバッテリーターミナル。
【発明の詳細な説明】
【技術分野】
【０００１】
本発明は、バッテリーターミナルに関する。
【背景技術】
【０００２】
バッテリーターミナルは、車両に備えられるバッテリーのバッテリーポストに取り付けられる部材である。特許第４２２５４０５号公報には、１枚の金属板をプレス加工することにより製造されるバッテリーターミナルが開示されている。
上記のバッテリーターミナルは、ターミナル本体と、ブラケットとを備えている。
【０００３】
ターミナル本体は、１枚の金属板を折り曲げることにより形成されており、互いに平行に配置された上基板および下基板と、上基板と下基板とを連結する２つの連結部とを有する。上基板および下基板は、それぞれ、バッテリーポスト挿入穴を有している。２つの連結部は、それぞれ、Ｕ字状に形成されて、一方の端部が上基板に、他方の端部が下基板に繋がっている。２つの連結部は、それぞれ、上側の側縁から下方に延びる被摺接部を有しており、この被摺接部は、上基板と接続する角部に傾斜面を有している。
【０００４】
ブラケットは、ボルトとナットとを用いて上側部に締め付け固定される基板と、この基板から斜めに延びる２つのテーパ部とを有している。
【０００５】
バッテリーポストをバッテリーポスト挿入穴に挿通させた後、ボルトとナットとを用いてブラケットをターミナル本体に締め付けると、２つのテーパ部のそれぞれが、２つの被摺接部のそれぞれに設けられた傾斜面に摺接する。テーパ部が傾斜面を押圧する力の上基板および下基板と平行な方向の分力が、２つの連結部を互いに近づく方向に移動させる。上基板および下基板は、バッテリーポスト挿入穴が縮径するように変形し、バッテリーポスト挿入穴の孔縁がバッテリーポストの外周面に当接する。これにより、バッテリーターミナルとバッテリーポストとが電気的に接続される。
【先行技術文献】
【特許文献】
【０００６】
【特許文献１】特許第４２２５４０５号公報
【発明の概要】
【発明が解決しようとする課題】
【０００７】
しかし、上記の構成では、傾斜面が配置された角部にテーパ部からの押圧力が集中することとなり、連結部の上側部分（上基板に連なっている部分）と被摺接部とが拡開するようにターミナル本体が変形するおそれがある。このような事態が生じると、連結部の下側部分（下基板に連なっている部分）には、テーパ部からの押圧力が十分に伝わらないために、下基板のバッテリーポスト挿入穴が十分に縮径できず、バッテリーポストとの接続が十分ではなくなるおそれがある。
【０００８】
このような事態を回避するために、上記文献に開示されたバッテリーターミナルには、連結部の下側部分から連なり、被摺接部に内側から当接する渦巻き状の当接部が設けられている。このため、ターミナル本体の構造が複雑となってしまっている。
【０００９】
本発明は上記のような事情に基づいて完成されたものであって、簡易な構成で、ターミナル本体の意図しない変形を抑制し、バッテリーポストとの接続信頼性を確保できるバッテリーターミナルを提供することを目的とする。
【課題を解決するための手段】
【００１０】
本発明のバッテリーターミナルは、バッテリーに備えられるバッテリーポストに取り付けられるバッテリーターミナルであって、ターミナル本体と、締付部材とを備え、前記ターミナル本体が、上板部と、前記上板部と平行に配置される下板部と、前記上板部から連なる第１受け部および第２受け部とを備え、前記上板部が、前記バッテリーポストが挿通される上板装着孔と、前記上板装着孔の孔縁から前記上板部の端縁まで延びる上板スリット部とを有し、前記上板スリット部を挟んで一方の側に配置される部分が上板第１締付部であり、他方の側に配置される部分が上板第２締付部であり、前記下板部が、前記バッテリーポストが挿通される下板装着孔と、前記下板装着孔の孔縁から前記下板部の端縁まで延びる下板スリット部とを有し、前記下板スリット部を挟んで一方の側に配置される部分が下板第１締付部であり、他方の側に配置される部分が下板第２締付部であり、前記第１受け部が、前記上板第１締付部において前記上板第２締付部とは反対側の端縁から前記下板第１締付部に向かって延び、前記上板第１締付部および前記下側第１締付部に向かう側と反対側が凸面である断面円弧状の第１受け壁を備え、前記第２受け部が、前記上板第２締付部において前記上板第１締付部とは反対側の端縁から前記下板第２締付部に向かって延び、前記上板第２締付部および前記下側第２締付部に向かう側と反対側が凸面である断面円弧状の第２受け壁を備え、前記第１受け部および前記下板第１締付部のうち一方が、他方に係合する第１係合部を備え、前記第２受け部および前記下板第２締付部のうち一方が、他方に係合する第２係合部を備え、前記締付部材が、前記上板部に重ねて配置される基部と、前記基部から連なる第１押圧部および第２押圧部とを備え、前記第１押圧部および前記第２押圧部において互いに相手側と対向する面が、前記基部から離れるほど互いに離間する方向に傾く第１テーパ面および第２テーパ面であり、前記第１テーパ面が前記第１受け部に当接しており、前記第２テーパ面が前記第２受け部に当接している。
【００１１】
上記の構成によれば、第１受け壁は断面円弧状の部位である。このため、第１押圧部からの押圧力を第１受け壁全体に分散させることができ、上板第１締付部と第１受け壁とが拡開変形することを抑制することができる。また、第１受け壁と下板第１締付部とが第１係合部によって係合している。これらにより、第１押圧部による第１受け壁に対する押圧力の、上板部および下板部と平行な方向の分力を、上板第１締付部のみならず下板第１締付部にも十分に伝えることができる。第２受け壁および第２係合部についても同様である。これにより、上板装着孔と下板装着孔との双方を十分に縮径させ、バッテリーポストに対する接続を確保することができる。
【００１２】
本発明の実施の態様として、以下の構成が好ましい。
【００１３】
前記第１受け部が、前記第１下板締付部において前記上板第１締付部と対向する面に重ねて配置される第１重ね部を備えており、前記第２受け部が、前記第２下板締付部において前記上板第２締付部と対向する面に重ねて配置される第２重ね部を備えていてもよい。
【００１４】
上記の構成によれば、第１重ね部は、第１押圧部による第１受け壁に対する押圧力の、上板部および下板部と垂直な方向の分力に抗して、上板第１締付部と下板第１締付部との間隔を維持する。第２重ね部についても同様である。これにより、ターミナル本体の意図しない変形を抑制する効果がさらに大きくなる。
【発明の効果】
【００１５】
本発明によれば、簡易な構成で、ターミナル本体の意図しない変形を抑制し、バッテリーポストとの接続信頼性を確保できるバッテリーターミナルを提供できる。
【図面の簡単な説明】
【００１６】
【図１】実施形態のバッテリーターミナルの斜視図
【図２】実施形態のバッテリーターミナルおよびバッテリーポストの分解斜視図
【図３】実施形態のバッテリーターミナルの平面図
【図４】実施形態のバッテリーターミナルの底面図
【図５】実施形態のバッテリーターミナルの正面図
【図６】実施形態のバッテリーターミナルの背面図
【図７】実施形態のバッテリーターミナルの右側面図
【図８】実施形態のバッテリーターミナルの左側面図
【図９】図３のＡ−Ａ線断面図
【図１０】図３のＢ−Ｂ線断面図
【図１１】図７のＣ−Ｃ線断面図
【図１２】実施形態のバッテリーターミナルをバッテリーポストに取り付けた様子を示す斜視図
【図１３】実施形態のバッテリーポストに取り付けられたバッテリーターミナルを図３のＢ−Ｂ線と同位置で切断した断面図
【図１４】実施形態のバッテリーポストに取り付けられたバッテリーターミナルを図７のＣ−Ｃ線と同位置で切断した断面図
【発明を実施するための形態】
【００１７】
本発明の実施形態を、図１〜図１４を参照しつつ説明する。本実施形態のバッテリーターミナル１は、車両のバッテリー（図示せず）に備えられるバッテリーポスト１００に取り付けられるものである。バッテリーポスト１００は、円柱状の軸部１０１と、軸部１０１の一端に配置された座部１０２とを有している。
【００１８】
バッテリーターミナル１は、図１、図２に示すように、ターミナル本体１０と、ブラケット７０（締付部材に該当）と、ボルト８０とナット９０とを備えている。
【００１９】
ターミナル本体１０は、上板部２０Ｕ、下板部２０Ｌ、２つの連結部３０Ａ、３０Ｂ、２つの受け部４０Ａ、４０Ｂ、２つの装着筒部５０Ｕ、５０Ｌ、および複数の止め片６０を備える。
【００２０】
上板部２０Ｕは、図２に示すように、全体として一方向に長い板状の部位であって、長さ方向と垂直な一対の短辺２１Ｕ、２２Ｕを有している。上板部２０Ｕは、バッテリーポスト１００における軸部１０１の軸方向と垂直に配置されている。
【００２１】
上板部２０Ｕは、上板装着孔２３Ｕと、上板スリット部２４Ｕとを有している。
【００２２】
上板装着孔２３Ｕは、上板部２０Ｕの一面から他面まで貫通しており、内部に軸部１０１が挿通される孔であって、上板部２０Ｕの２つの短辺２１Ｕ、２２Ｕのうち一方の短辺２１Ｕに近接して配置されている。上板装着孔２３Ｕは、バッテリーターミナル１がバッテリーポスト１００に取り付けられていない自由状態では、内径が軸部１０１の外径よりもわずかに大きくなっている。
【００２３】
上板スリット部２４Ｕは、上板装着孔２３Ｕの孔縁から、上板部２０Ｕの長さ方向に沿って、２つの短辺２１Ｕ、２２Ｕのうち上板装着孔２３Ｕから遠い方の短辺２２Ｕ（端縁に該当）まで延びる隙間である。この上板スリット部２４Ｕの存在により、上板部２０Ｕは、上板装着孔２３Ｕと短辺２２Ｕとの間の部分が２つに分断されている。
【００２４】
上板部２０Ｕにおいて、上板装着孔２３Ｕを囲む部位が上板装着部２５Ｕであり、上板スリット部２４Ｕを挟んで配置される２つの部分のうち一方が上板第１締付部２６Ｕ、他方が上板第２締付部２７Ｕである。
【００２５】
上板第１締付部２６Ｕは、半割凹部２８Ｕを有している。半割凹部２８Ｕは、上板第１締付部２６Ｕにおいて、上板第２締付部２７Ｕと対向する端面から、上板第２締付部２７Ｕに対して離間する方向に凹む凹部である。上板第２締付部２７Ｕも、同様に半割凹部２９Ｕを有している。半割凹部２９Ｕは、上板第２締付部２７Ｕにおいて、上板第１締付部２６Ｕと対向する端面から、上板第１締付部２６Ｕに対して離間する方向に凹む凹部である。２つの半割凹部２８Ｕ、２９Ｕは、互いに向かい合って配置されており、２つの半割凹部２８Ｕ、２９Ｕによって囲まれた空間は、ボルト８０を挿通するための空間となっている。
【００２６】
下板部２０Ｌは、図４に示すように、上板部２０Ｕと同様の外形を有しており、長さ方向と垂直な一対の短辺２１Ｌ、２２Ｌを有している。下板部２０Ｌは、上板部２０Ｕと平行に、かつ、上板部２０Ｕに対して間隔を空けて配置されている。
【００２７】
下板部２０Ｌは、図４に示すように、下板装着孔２３Ｌと、下板スリット部２４Ｌとを有している。
【００２８】
下板装着孔２３Ｌは、上板装着孔２３Ｕと同様の形状を有しており、下板部２０Ｌの一方の短辺２１Ｌに近接して配置されている。下板スリット部２４Ｌは、下板装着孔２３Ｌの孔縁から、下板部２０Ｌの長さ方向に沿って、２つの短辺２１Ｌ、２２Ｌのうち下板装着孔２３Ｌから遠い方の短辺２２Ｌ（端縁に該当）まで延びる隙間である。この下板スリット部２４Ｌの存在により、下板部２０Ｌは、下板装着孔２３Ｌと短辺２２Ｌとの間の部分が２つに分断されている。
【００２９】
上板部２０Ｕと同様に、下板部２０Ｌにおいても、下板装着孔２３Ｌを囲む部位が下板装着部２５Ｌである。また、下板スリット部２４Ｌを挟んで配置される２つの部分のうち、上板第１締付部２６Ｕと同じ側に配置される部分が下板第１締付部２６Ｌであり、上板第２締付部２７Ｕと同じ側に配置される部分が下板第２締付部２７Ｌである。下板第１締付部２６Ｌおよび下板第２締付部２７Ｌは、上板第１締付部２６Ｕおよび上板第２締付部２７Ｕと同様に、それぞれ半割凹部２８Ｌ、２９Ｌを有しており、２つの半割凹部２８Ｌ、２９Ｌによって囲まれた空間は、ボルト８０を挿通するための空間となっている。
【００３０】
上板部２０Ｕおよび下板部２０Ｌの板面に垂直な方向から見て、上板装着孔２３Ｕと下板装着孔２３Ｌとが互いに重なって配置され、上板スリット部２４Ｕと下板スリット部２４Ｌとが互いに重なって配置され、上板部２０Ｕの半割凹部２８Ｕ、２９Ｕと下板部２０Ｌの半割凹部２８Ｌ、２９Ｌとが互いに重なって配置されている。
【００３１】
２つの連結部３０Ａ、３０Ｂのうち一方は第１連結部３０Ａ、他方は第２連結部３０Ｂである。第１連結部３０Ａは、上板第１締付部２６Ｕにおける上板装着部２５Ｕとは反対側の端縁と、下板第１締付部２６Ｌにおける、下板装着部２５Ｌとは反対側の端縁とを連結する部位である。第２連結部３０Ｂは、上板第２締付部２７Ｕにおける上板装着部２５Ｕとは反対側の端縁と、下板第２締付部２７Ｌにおける下板装着部２５Ｌとは反対側の端縁とを連結する部位である。第１連結部３０Ａと第２連結部３０Ｂとの間には隙間があり、この隙間は、上板スリット部２４Ｕおよび下板スリット部２４Ｌに連なる連結スリット部３５である。
【００３２】
２つの受け部４０Ａ、４０Ｂのうち一方は、第１受け部４０Ａであり、他方は、第２受け部４０Ｂである。
【００３３】
第１受け部４０Ａは、第１受け壁４１Ａと、２つの第１係合部４２Ａと、第１重ね部４３Ａとを備えている。第１受け壁４１Ａは、図９に示すように、上板第１締付部２６Ｕの外側の側縁（上板第２締付部２７Ｕとは反対側の側縁）から、下板第１締付部２６Ｌに向かって延びる部位である。第１受け部４０Ａは、上板スリット部２４Ｕおよび下板スリット部２４Ｌの延び方向から見た断面が円弧状であり、凸面が外側（上板第１締付部２６Ｕおよび下側第１締付部２６Ｌに向かう側と反対側）を向いている。
【００３４】
２つの第１係合部４２Ａと、第１重ね部４３Ａとは、それぞれ、第１受け壁４１Ａにおいて下板第１締付部２６Ｌに近接する端縁から連なる部位である。２つの第１係合部４２Ａのそれぞれは、図９に示すように、下板第１締付部２６Ｌに対して垂直に延びる板状の部位であり、下板第１締付部２６Ｌにおいて下板第２締付部２７Ｌとは反対側の端面に当接している。第１重ね部４３Ａは、図１１に示すように、下板第１締付部２６Ｌと平行に延び、下板第１締付部２６Ｌにおいて上板第１締付部２６Ｕと対向する面に重ねて配置される板状の部位である。２つの第１係合部４２Ａは、第１重ね部４３Ａを挟んで配置されている。
【００３５】
第２受け部４０Ｂは、第２受け壁４１Ｂと、２つの第２係合部４２Ｂと、第２重ね部４３Ｂとを備えている。第２受け壁４１Ｂは、図９に示すように、上板第２締付部２７Ｕの外側の側縁（上板第１締付部２６Ｕとは反対側の側縁）から、下板第２締付部２７Ｌに向かって延びる部位である。第２受け部４０Ｂは、上板スリット部２４Ｕおよび下板スリット部２４Ｌの延び方向から見た断面が円弧状であり、凸面が外側（上板第２締付部２７Ｕおよび下側第２締付部２７Ｌに向かう側と反対側）を向いている。
【００３６】
２つの第２係合部４２Ｂと、第２重ね部４３Ｂとは、それぞれ、第２受け壁４１Ｂにおいて下板第２締付部２７Ｌに近接する端縁から連なる部位である。２つの第２係合部４２Ｂのそれぞれは、図９に示すように、下板第２締付部２７Ｌに対して垂直に延びる板状の部位であり、下板第２締付部２７Ｌにおいて下板第１締付部２６Ｌとは反対側の端面に当接している。第２重ね部４３Ｂは、図１１に示すように、下板第２締付部２７Ｌと平行に延び、下板第２締付部２７Ｌにおいて上板第２締付部２７Ｕと対向する面に重ねて配置される板状の部位である。２つの第２係合部４２Ｂは、第２重ね部４３Ｂを挟んで配置されている。
【００３７】
２つの装着筒部５０Ｕ、５０Ｌのうち一方は、上板装着筒部５０Ｕであり、他方は、下板装着筒部５０Ｌである。
【００３８】
上板装着筒部５０Ｕは、図２、図３および図１０に示すように、上板装着孔２３Ｕの孔縁から、上板部２０Ｕと垂直に、かつ下板部２０Ｌから離間する方向に延びる筒状の部位である。上板装着筒部５０Ｕは、上筒スリット部５１Ｕを有している。上筒スリット部５１Ｕは、上板スリット部２４Ｕから連なり、上板装着筒部５０Ｕにおける上板部２０Ｕとは反対側の端縁まで延びる隙間である。この上筒スリット部５１Ｕの存在により、上板装着筒部５０Ｕは、切り欠きを有する断面Ｃ字状の筒となっている。
【００３９】
下板装着筒部５０Ｌは、図１０、図１１に示すように、下板装着孔２３Ｌの孔縁から、下板部２０Ｌと垂直に、上板部２０Ｕに向かって延びる筒状の部位である。下板装着筒部５０Ｌは、下筒スリット部５１Ｌを有している。下筒スリット部５１Ｌは、下板スリット部２４Ｌから連なり、上板装着筒部５０Ｕにおける上板部２０Ｕとは反対側の端縁まで延びる隙間である。この上筒スリット部５１Ｕの存在により、上板装着筒部５０Ｕは、切り欠きを有する断面Ｃ字状の筒となっている。
【００４０】
複数の止め片６０は、上板装着部２５Ｕと下板装着部２５Ｌとを、所定の間隔を維持しつつ保持するための部位である。各止め片６０は、図２、図３、図６および図１１に示すように、下板装着部２５Ｌの端縁から上板装着部２５Ｕに向かって延びる主片６１と、主片６１から連なり、上板装着部２５Ｕと下板装着部２５Ｌとに挟まれて配置される保持片６２と、主片６１から連なり、上板装着部２５Ｕにおいて下板装着部２５Ｌとは反対側の板面に沿って延びる係止片６３とを有している。
【００４１】
ブラケット７０は、ボルト８０とナット９０によってターミナル本体１０に取り付けられて、ターミナル本体１０を、上板装着孔２３Ｕおよび下板装着孔２３Ｌが縮径されるように変形させるための部材である。ブラケット７０は、図２に示すように、基部７１と、２つの押圧部７３Ａ、７３Ｂとを有する。
【００４２】
基部７１は、矩形の板であって、上板第１締付部２６Ｕおよび上板第２締付部２７Ｕにおいて下板部２０Ｌとは反対側の面に重ねて配置される部位である。基部７１において、上板スリット部２４Ｕと平行な２つの辺の間の距離は、上板第１締付部２６Ｕの外側の端縁と上板第２締付部２７Ｕの外側の端縁との間の距離よりも短くなっている。基部７１は、上板部２０Ｕと対向する面からその反対側の面まで貫通するボルト挿通孔７２を有している。
【００４３】
２つの押圧部７３Ａ、７３Ｂのうち一方は第１押圧部７３Ａであり、他方は第２押圧部７３Ｂである。第１押圧部７３Ａは、基部７１において、上板スリット部２４Ｕと平行な２つの辺のうち、上板第１締付部２６Ｕに近い辺から、ターミナル本体１０に向かって延びる板状の部位である。第２押圧部７３Ｂは、基部７１において、上板スリット部２４Ｕと平行な２つの辺のうち、上板第２締付部２７Ｕに近い辺から、ターミナル本体１０に向かって延びる板状の部位である。
【００４４】
第１押圧部７３Ａおよび第２押圧部７３Ｂは、それぞれ、基部７１から離間するほど相手側から離れる向きに傾いている。図９に示すように、第１押圧部７３Ａおよび第２押圧部７３Ｂにおいて、互いに相手側を向く面は、それぞれ、基部７１から離間するほど相手側から離れる向きに傾く第１テーパ面７４Ａ、第２テーパ面７４Ｂである。第１押圧部７３Ａおよび第２押圧部７３Ｂは、それぞれ、第１テーパ面７４Ａおよび第２テーパ面７４Ｂを第１受け壁４１Ａおよび第２受け壁４１Ｂに当接させて、第１受け壁４１Ａおよび第２受け壁４１Ｂを互いに相手側に向かって押圧している。
【００４５】
ボルト８０は、頭部８１と、外周面にねじ山を有する胴部８２とを有する一般的な形状のものである。
【００４６】
ナット９０は、矩形のブロック状で、ナット孔９１を有する四角ナットである。ナット９０は、上板第１締付部２６Ｕおよび上板第２締付部２７Ｕと、下板第１締付部２６Ｌおよび下板第２締付部２７Ｌとの間に配置されている。
【００４７】
ボルト８０の胴部８２が、ボルト挿通孔７２および上板部２０Ｕの２つの半割凹部２８Ｕ、２９Ｕに囲まれた空間に挿通され、ナット９０にねじ付けられることにより、ブラケット７０がターミナル本体１０に固定されている。
【００４８】
次に、上記のように構成されたバッテリーターミナル１を、バッテリーポスト１００に取り付ける手順について説明する。
【００４９】
ターミナル本体１０の上板装着孔２３Ｕおよび下板装着孔２３Ｌに、バッテリーポスト１００の軸部１０１を挿通させる。また、ナット９０を上板第１締付部２６Ｕおよび上板第２締付部２７Ｕと、下板第１締付部２６Ｌおよび下板第２締付部２７Ｌとの間にセットする。次に、ブラケット７０をターミナル本体１０に重ねる。ブラケット７０がターミナル本体１０にねじ止めされていない状態では、第１押圧部７３Ａが第１受け壁４１Ａに、第２押圧部７３Ｂが第２受け壁４１Ｂに、それぞれ接触し、基部７１は上板第１締付部２６Ｕおよび上板第２締付部２７Ｕから少し浮き上がった状態となっている。
【００５０】
この状態で、ボルト８０をボルト挿通孔７２に挿通してナット９０にねじ付ける。ボルト８０をナット９０に締め込んでいくと、基部７１がボルト８０の頭部８１によって押圧され、上板第１締付部２６Ｕおよび上板第２締付部２７Ｕに近づく方向へ移動していく。すると、第１受け壁４１Ａが第１押圧部７３Ａに、また、第２受け壁４１Ｂが第１押圧部７３Ａに摺接しつつ、基部７１に近づく方向へ（つまり、第１押圧部７３Ａと第２押圧部７３Ｂとの間隔が狭くなる方向へ）移動していく。これにより、第１受け壁４１Ａと第２受け壁４１Ｂとは、互いに近づく方向へ移動していく。
【００５１】
第１押圧部７３Ａによる第１受け壁４１Ａに対する押圧力の、上板部２０Ｕおよび下板部２０Ｌと平行な方向の分力が、上板第１締付部２６Ｕおよび下板第１締付部２６Ｌに伝えられることにより、両者は上板第２締付部２７Ｕおよび下板第２締付部２７Ｌに近づく方向に移動する。同様に、上板第２締付部２７Ｕおよび下板第２締付部２７Ｌも、上板第１締付部２６Ｕおよび下板第１締付部２６Ｌに近づく方向に移動する。
【００５２】
これにより、上板装着孔２３Ｕおよび下板装着孔２３Ｌが縮径し、図１３、図１４に示すように、バッテリーポスト１００の軸部１０１の外周面に、上板装着孔２３Ｕ、下板装着孔２３Ｌ、上板装着筒部５０Ｕおよび下板装着筒部５０Ｌの内周面が密着する。これにより、バッテリーポスト１００とバッテリーターミナル１との導通が図られる。
【００５３】
本実施形態においては、第１受け壁４１Ａは断面円弧状の部位である。このため、第１押圧部７３Ａからの押圧力を第１受け壁４１Ａ全体に分散させることができ、上板第１締付部２６Ｕと第１受け壁４１Ａとが拡開変形することを抑制できる。また、第１受け壁４１Ａの端縁に、下板第１締付部２６Ｌと当接する第１係合部４２Ａを配置している。これらにより、第１押圧部７３Ａによる第１受け壁４１Ａに対する押圧力の、上板部２０Ｕおよび下板部２０Ｌと平行な方向の分力を、上板第１締付部２６Ｕのみならず下板第１締付部２６Ｌにも十分に伝えることができる。第２受け壁４１Ｂおよび第２係合部４２Ｂについても同様である。これにより、上板装着孔２３Ｕと下板装着孔２３Ｌとの双方を十分に縮径させ、バッテリーターミナル１とバッテリーポスト１００との接続を確保することができる。
【００５４】
さらに、第１受け壁４１Ａが断面円弧状の部位であることにより、第１受け壁４１Ａが第１押圧部７３Ａに摺設しつつ、基部７１に近づく側へ移動していく動作が円滑となり、バッテリーターミナル１のバッテリーポスト１００への取り付け作業をスムーズに行うことができる。
【００５５】
加えて、第１重ね部４３Ａは、第１押圧部７３Ａによる第１受け壁４１Ａに対する押圧力の、上板部２０Ｕおよび下板部２０Ｌと垂直な方向の分力に抗して、上板第１締付部２６Ｕと下板第１締付部２６Ｌとの間隔を維持する。第２重ね部４３Ｂについても同様である。これにより、ターミナル本体１０の意図しない変形を抑制する効果がさらに大きくなる。
【００５６】
＜他の実施形態＞
本発明は上記記述及び図面によって説明した実施形態に限定されるものではなく、例えば次のような実施形態も本発明の技術的範囲に含まれる。
（１）上記実施形態では、１つの第１係合部４２Ａを挟んで２つの第１重ね部４３Ａが配置されていたが、第１係合部および第１重ね部の数および配置には特に制限はない。第２係合部および第２重ね部についても同様である。
【００５７】
（２）上記実施形態では、第１係合部４２Ａは、第１受け部４０Ａに備えられて下板第１締付部２６Ｌに係合しているが、第１係合部が下板第１締付部に設けられて第１受け部と係合していても構わない。第２係合部についても同様である。
【符号の説明】
【００５８】
１…バッテリーターミナル
１０…ターミナル本体
２０Ｕ…上板部
２２Ｕ…短辺（端縁）
２３Ｕ…上板装着孔
２４Ｕ…上板スリット部
２６Ｕ…上板第１締付部
２７Ｕ…上板第２締付部
２０Ｌ…下板部
２２Ｌ…短辺（端縁）
２３Ｌ…下板装着孔
２４Ｌ…下板スリット部
２６Ｌ…下板第１締付部
２７Ｌ…下板第２締付部
４０Ａ…第１受け部
４１Ａ…第１受け壁
４２Ａ…第１係合部
４３Ａ…第１重ね部
４０Ｂ…第２受け部
４１Ｂ…第２受け壁
４２Ｂ…第２係合部
４３Ｂ…第２重ね部
７０…ブラケット（締付部材）
７１…基部
７３Ａ…第１押圧部
７４Ａ…第１テーパ面
７３Ｂ…第２押圧部
７４Ｂ…第２テーパ面
１００…バッテリーポスト
【図１】
2015167108.tif 000003
【図２】
2015167108.tif 000004
【図３】
2015167108.tif 000005
【図４】
2015167108.tif 000006
【図５】
2015167108.tif 000007
【図６】
2015167108.tif 000008
【図７】
2015167108.tif 000009
【図８】
2015167108.tif 000010
【図９】
2015167108.tif 000011
【図１０】
2015167108.tif 000012
【図１１】
2015167108.tif 000013
【図１２】
2015167108.tif 000014
【図１３】
2015167108.tif 000015
【図１４】
2015167108.tif 000016